(57)【要約】【課題】ボール受け座後方のボールペンチップ内における熱変色性インキの流動性を向上させ、筆跡の途切れや、筆跡濃度の低下の発生を防止する。【解決手段】前端に回転可能にボール３１を抱持したボールペンチップ２と、前端に前記ボールペンチップ２を備え且つ後端が開口したインキ収容部６とからなる。インキ収容部６の内部に、熱変色性インキ８と追従体９とを収容する。ボールペンチップ２が、直円筒状の小径部３と、直円筒状の大径部４と、小径部３と大径部４とを接続するテーパ部５とからなる。ボール３１の後方に、ボール３１を前方に付勢するスプリング７を配置する。小径部３のボール受け座３３後方の内径Ｂのボール外径Ａに対する比が１．０１〜１．１５である。大径部４の内径Ｃのボール外径Ａに対する比が１．２〜３．０である。ボール受け座３３から小径部３後端までの軸方向の長さＬが３ｍｍ以下である。【選択図】  図１
2009090559.tif 000002
【特許請求の範囲】
【請求項１】
前端に回転可能にボールを抱持したボールペンチップと、前端に前記ボールペンチップを備え且つ後端が開口したインキ収容部とからなり、前記インキ収容部の内部に、熱変色性インキと、前記熱変色性インキの後端に配置され且つ前記熱変色性インキの消費に伴って前進する追従体とを収容してなる熱変色性ボールペンであって、
前記熱変色性インキは、平均粒子径０．５μｍ〜５μｍの熱変色性顔料が水性媒体中に分散され、粘度が４０ｍＰａ・s〜１６０ｍＰａ・s（ＥＭ型回転粘度計による回転数１００ｒｐｍ、２５℃での値）に設定され、高温側変色点が２５℃〜９５℃に設定され、
前記ボールペンチップが、直円筒状の小径部と、直円筒状の大径部と、前記小径部と前記大径部とを接続するテーパ部とからなり、
前記小径部の前端部に、内向きの前端縁部と、内方への押圧変形により形成した内方突起よりなるボール受け座とを形成し、
前記ボールの後方に、ボールを前方に付勢するスプリングを配置し、前記スプリングが、前記ボール受け座のインキ通路を貫通し且つ前端がボールの後面に接触するロッド部と、前記ロッド部の後端に一体に連設されるコイル部とからなり、
前記ボールの外径Ａが０．３ｍｍ〜０．７ｍｍであり、
前記ボールの軸方向の移動可能量が、１０μｍ〜６０μｍであり、
前記ボールの径方向の移動可能量が、１０μｍ〜６０μｍであり、
前記小径部のボール受け座後方の内径Ｂのボール外径Ａに対する比（Ｂ／Ａ）が、１．０１〜１．１５であり、
前記大径部の内径Ｃのボール外径Ａに対する比（Ｃ／Ａ）が、１．２〜３．０であり、
前記ボール受け座から小径部後端までの軸方向の長さＬが、３ｍｍ以下であることを特徴とする熱変色性ボールペン。
【請求項２】
ボール受け座のインキ通路の最小断面積が０．００３ｍｍ2以上である請求項１記載の熱変色性ボールペン。
【請求項３】
ロッド部が、ボール後方の小径部内、テーパ部内及び大径部内に配置され、前記ロッド部の後端及びコイル部が、ボールペンチップ後方のインキ収容部内に配置される請求項２記載の熱変色性ボールペン。
【請求項４】
大径部をインキ収容部の前端部内面に圧入固着し、インキ収容部の前端部内面に、前記圧入固着した大径部の後端が当接する段部を形成し、前記段部の内径を前記大径部後端の内径と略等しく設定した請求項３記載の熱変色性ボールペン。
【請求項５】
ボール受け座を構成する内方突起の個数が４個である請求項１乃至４の何れかに記載の熱変色性ボールペン。
【請求項６】
前記熱変色性インキの筆跡を摩擦しその際に生じる摩擦熱で該筆跡を熱変色可能な摩擦体を外面に備えた請求項１乃至５の何れかに記載の熱変色性ボールペン。
【発明の詳細な説明】
【技術分野】
【０００１】
本発明は、熱変色性インキを内蔵した熱変色性ボールペンに関する。
【背景技術】
【０００２】
従来、特許文献１には、金属製のパイプの先端近傍を内方に押圧変形させたパイプ押圧変形タイプのボールペンチップを用いた熱変色性ボールペンが記載されている。
しかし、前記従来の熱変色性ボールペンは、ボール外径が小さい場合（具体的にはボール外径０．５ｍｍ以下）の場合、ボール受け座後方のボールペンチップ内で熱変色性インキの流動性が低下し、その結果、筆跡が途切れたり、筆跡の濃度が不十分となったりするおそれがある。
【０００３】
【特許文献１】特許第３７１８７５２号公報
【発明の開示】
【発明が解決しようとする課題】
【０００４】
本発明は、前記従来の問題点を解決するものであって、ボール受け座後方のボールペンチップ内における熱変色性インキの流動性を向上させ、筆跡の途切れや筆跡濃度の低下の発生を防止できる熱変色性ボールペンを提供しようとするものである。
【課題を解決するための手段】
【０００５】
本願の第１の発明は、前端に回転可能にボール３１を抱持したボールペンチップ２と、前端に前記ボールペンチップ２を備え且つ後端が開口したインキ収容部６とからなり、前記インキ収容部６の内部に、熱変色性インキ８と、前記熱変色性インキ８の後端に配置され且つ前記熱変色性インキ８の消費に伴って前進する追従体９とを収容してなる熱変色性ボールペンであって、前記熱変色性インキ８は、平均粒子径０．５μｍ〜５μｍの熱変色性顔料が水性媒体中に分散され、粘度が４０ｍＰａ・s〜１６０ｍＰａ・s（ＥＭ型回転粘度計による回転数１００ｒｐｍ、２５℃での値）に設定され、高温側変色点が２５℃〜９５℃に設定され、前記ボールペンチップ２が、直円筒状の小径部３と、直円筒状の大径部４と、前記小径部３と前記大径部４とを接続するテーパ部５とからなり、前記小径部３の前端部に、内向きの前端縁部３２と、内方への押圧変形により形成した内方突起３３ａよりなるボール受け座３３とを形成し、前記ボール３１の後方に、ボール３１を前方に付勢するスプリング７を配置し、前記スプリング７が、前記ボール受け座３３のインキ通路３３ｂを貫通し且つ前端がボール３１の後面に接触するロッド部７１と、前記ロッド部７１の後端に一体に連設されるコイル部７２とからなり、前記ボール３１の外径Ａが０．３ｍｍ〜０．７ｍｍであり、前記ボール３１の軸方向の移動可能量が、１０μｍ〜６０μｍであり、前記ボール３１の径方向の移動可能量が、１０μｍ〜６０μｍであり、前記小径部３のボール受け座３３後方の内径Ｂのボール外径Ａに対する比（Ｂ／Ａ）が、１．０１〜１．１５であり、前記大径部４の内径Ｃのボール外径Ａに対する比（Ｃ／Ａ）が、１．２〜３．０であり、前記ボール受け座３３から小径部３後端までの軸方向の長さＬが、３ｍｍ以下であること（請求項１）を要件とする。
【０００６】
前記第１の発明の熱変色性ボールペン１は、ボール受け座３３後方のボールペンチップ２内で熱変色性インキ８の流動性が低下することがなく、十分な量の熱変色性インキ８をボール３１に供給でき、その結果、筆跡が途切れたり筆跡の濃度が薄くなったりするおそれがない。
【０００７】
前記第１の発明の熱変色性ボールペン１は、ロッド部７１がボール受け座３３のインキ通路３３ｂを貫通し且つロッド部７１の前端がボール３１の後面に接触するため、スプリング７の前端部が貫通するボール受け座３３のインキ通路３３ｂをできるだけ大きく設定することができ、ボール受け座３３のインキ通路３３ｂにおける熱変色性インキ８の流動性を向上できる。もし、小径のコイル部がボール受け座３３のインキ流通路を貫通する構成の場合、ボール受け座３３のインキ通路３３ｂにおけるインキ流動性が低下し、ペン先からの熱変色性インキ８の十分な吐出が得られない。尚、前記スプリング７の前方への付勢によって、ボール３１が内向きの前端縁部３２に密接され、非使用時のペン先からのインキ漏出や空気混入を防止する。
【０００８】
前記ボール３１の軸方向の移動可能量が、１０μｍ〜６０μｍであることにより、ペン先からの十分なインキ流出性と、安定した筆記感を得る。もし、前記ボール３１の軸方向の移動可能量が、１０μｍより小さい場合、ペン先からの十分なインキ流出性が得られない。もし、前記ボール３１の軸方向の移動可能量が、６０μｍより大きい場合、筆記時ボール３１が軸方向に大きくがたつき、安定した筆記感が得られない。
【０００９】
前記ボール３１の径方向の移動可能量が、１０μｍ〜６０μｍであることにより、ペン先からの十分なインキ流出性と、安定した筆記感を得る。もし、前記ボール３１の径方向の移動可能量が、１０μｍより小さい場合、ペン先からの十分なインキ流出性が得られない。もし、前記ボール３１の径方向の移動可能量が、６０μｍより大きい場合、筆記時ボール３１が径方向に大きくがたつき、安定した筆記感が得られない。
【００１０】
前記小径部３のボール受け座３３後方の内径Ｂのボール外径Ａに対する比（Ｂ／Ａ）が、１．０１〜１．１５であることにより、小径部３内における十分な熱変色性インキ８の流動性を得るとともに、ボールペンチップ２の製造が容易となる。もし、前記比（Ｂ／Ａ）が、１．０より小さい場合、小径部３内の十分なインキ流動性が得られない。もし、前記比（Ｂ／Ａ）が、１．１５より大きい場合、ボール受け座３３前方の内径とボール受け座３３後方の内径が大きく異なるため、ボールペンチップ２の製造が困難となる。
【００１１】
前記大径部４の内径Ｃのボール外径Ａに対する比（Ｃ／Ａ）が、１．２〜３．０であることにより、大径部４内における十分な熱変色性インキ８の流動性を得るとともに、ボールペンチップ２の製造が容易となる。前記比（Ｃ／Ａ）が、１．２より小さい場合、大径部４内におけるインキ流動性が低下する。前記比（Ｃ／Ａ）が、３．０より大きい場合、大径部４と小径部３との内径差が大きくなるに伴い、大径部４と小径部３との外径差も大きくなりボールペンチップ２の外観性が阻害される。
【００１２】
前記小径部３のボール受け座３３から小径部３後端（テーパ部５後端）までの軸方向の長さＬが、３ｍｍ以下であることにより、小径部３内における十分な熱変色性インキ８の流動性を得る。もし、前記軸方向の長さＬが、３ｍｍより大きい場合、小径部３内における熱変色性インキ８の流動性が低下する。
【００１３】
本願の第２の発明は、前記第１の発明において、ボール受け座３３のインキ通路３３ｂの最小断面積が０．００３ｍｍ2以上（好ましくは、０．０１ｍｍ2以上）であること（請求項１）を要件とする。尚、本発明で、前記ボール受け座３３のインキ通路３３ｂの最小断面積は、スプリング７のロッド部７１を除いた部分の断面積をいう。（図２参照）
【００１４】
前記第２の発明の熱変色性ボールペン１は、ボール受け座３３のインキ通路３３ｂにおいて十分な熱変色性インキ８の流動性を得る。  
【００１５】
本願の第３の発明は、前記第２の発明において、ロッド部７１が、ボール３１後方の小径部３内、テーパ部５内及び大径部４内に配置され、前記ロッド部７１の後端及びコイル部７２が、ボールペンチップ２後方のインキ収容部６内に配置されること（請求項３）を要件とする。
【００１６】
前記第３の発明の熱変色性ボールペン１は、コイル部７２がボールペンチップ２内の熱変色性インキ８の流動性を阻害せず、ボールペンチップ２内のインキ流通路を大きく確保でき、しかも、ロッド部７１がボールペンチップ２内のインキ誘導機能を備えるため、ボールペンチップ２内の熱変色性インキ８の流動性が著しく向上する。もし、ボールペンチップ２内にコイル部７２が配置される場合、ボールペンチップ２内のインキ流通路が十分に確保できず、熱変色性インキ８がボールペンチップ２内を円滑に流れず、ペン先からのインキ流出性が低下するおそれがある。
【００１７】
本願の第４の発明は、前記第３の発明において、大径部４をインキ収容部６の前端部内面に圧入固着し、インキ収容部６の前端部内面に、前記圧入固着した大径部４の後端が当接する段部６１ａを形成し、前記段部６１ａの内径Ｄを前記大径部４後端の内径Ｃと略等しく設定したこと（請求項３）を要件とする。
【００１８】
前記第４の発明の熱変色性ボールペン１は、段部６１ａにおいてインキ流動性が低下せず、より一層、円滑なインキ流動性を得るとともに、段部６１ａと大径部４の後端との適正な当接を得る。もし、段部６１ａの内径Ｄが、大径部４の後端の内径Ｃより小さい場合、インキ収容部６から大径部４へのインキ流動性が低下する。もし、段部６１ａの内径Ｄが、大径部４の後端の内径Ｃより大きい場合、段部６１ａと大径部４の後端との適正な当接が得られない。また、段部６１ａの内径Ｄが、大径部４の後端の内径Ｃより大きい場合、ロッド部７１をボールペンチップ２内に挿入する際、ボールペンチップ２の後端（大径部４の後端）にロッド部７１が引っ掛かり、円滑な挿入組立を阻害するおそれがある。
【００１９】
本願の第５の発明は、前記第１乃至第４の何れかの発明において、ボール受け座３３を構成する内方突起３３ａの個数が４個であること（請求項５）を要件とする。
【００２０】
前記第５の発明の熱変色性ボールペン１は、ボール受け座３３において十分なインキ流動性を有するインキ通路３３ｂを形成できるとともに、ロッド部７１の前端をボール３１後面の中心に適正にガイドすることができる。その結果、ボール３１と前端縁部３２との適正なシール性を得る。もし、ボール受け座３３を構成する内方突起３３ａの個数が３個の場合、ロッド部７１の前端をボール３１後面の中心に適正にガイドすることが困難となるおそれがある。
【００２１】
本願の第６の発明は、前記第１乃至第５の何れかの発明において、前記熱変色性インキ８の筆跡を摩擦しその際に生じる摩擦熱で該筆跡を熱変色可能な摩擦体１０２を外面に備えたこと（請求項６）を要件とする。
【００２２】
前記第６の発明の熱変色性ボールペン１は、ボールペンチップ２前端から適正に得られた熱変色性インキ８の筆跡を、大掛かりな加熱手段を用いることなく、摩擦によって容易に熱変色させることができる。
【００２３】
・熱変色性インキ
尚、本発明において、前記熱変色性インキは、可逆熱変色性インキが好ましい。前記可逆熱変色性インキは、発色状態から加熱により消色する加熱消色型、発色状態または消色状態を互変的に特定温度域で記憶保持する色彩記憶保持型、または、消色状態から加熱により発色し、発色状態からの冷却により消色状態に復する加熱発色型等、種々のタイプを単独または併用して構成することができる。
【００２４】
また、前記可逆熱変色性インキに含有される色材は、従来より公知の（イ）電子供与性呈色性有機化合物、（ロ）電子受容性化合物、及び（ハ）前記両者の呈色反応の生起温度を決める反応媒体、の必須三成分を少なくとも含む可逆熱変色性組成物をマイクロカプセル中に内包させた可逆熱変色性顔料が好適に用いられる。
【００２５】
本発明では、図８に示すように、温度変化による着色濃度の変化をプロットした曲線の形状が、温度を変色温度域より低温側から上昇させていく場合と逆に変色温度域より高温側から下降させていく場合とで異なる経路を辿って変色し、完全発色温度（ｔ１）以下の低温域での発色状態、または完全消色温度（ｔ４）以上の高温域での消色状態が、特定温度域〔ｔ２〜ｔ３の間の温度域（実質的二相保持温度域）〕で記憶保持できる色彩記憶保持型熱変色性インキが適用されることが好ましい。図８において、ΔＨは、ヒステリシスの程度を示す温度幅（即ちヒステリシス幅）を示す。ΔＨの値が小さいと、変色前後の両状態のうち一方の状態しか存在しえない。ΔＨの値が大きいと、変色前後の各状態の保持が容易となる。
【００２６】
本発明では、前記熱変色性インキの摩擦体の摩擦熱による変色温度は、２５℃〜９５℃（好ましくは３６℃〜９５℃）に設定される。即ち、本発明では、前記高温側変色点〔完全消色温度（ｔ４）〕を、２５℃〜９５℃（好ましくは、３６℃〜９０℃）の範囲に設定し、前記低温側変色点〔完全発色温度（ｔ１）〕を、−３０℃〜＋２０℃（好ましくは、−３０℃〜＋１０℃）の範囲に設定することが有効である。それにより、常態（日常の生活温度域）で呈する色彩の保持を有効に機能させることができるとともに、可逆熱変色性インキによる筆跡を摩擦体による摩擦熱で容易に変色することができる。
【００２７】
前記可逆熱変色性顔料は、粒子径の平均値が０．５〜５．０μｍ、好ましくは１〜４μｍの範囲にあることが好ましい。平均粒子径が５．０μｍを越える系では、ボールペンチップや多孔質ペン体の毛細間隙からの流出性が低下し、平均粒子径が０．５μｍ以下の系では高濃度の発色性を示し難くなる。
【００２８】
前記可逆熱変色性顔料は、インキ組成物全量に対し、２〜５０重量％（好ましくは３〜４０重量％、更に好ましくは、４〜３０重量％）配合することができる。２重量％未満では発色濃度が不充分であり、５０重量％を越えるとインキ流出性が低下し、筆記性が阻害される。
【００２９】
・摩擦体
尚、本発明で、前記摩擦体は、弾性を有する合成樹脂（ゴム、エラストマー）により形成することが好ましい。前記弾性を有する合成樹脂（ゴム、エラストマー）は、例えば、シリコーン樹脂、ＳＢＳ樹脂（スチレン−ブタジエン−スチレン共重合体）、ＳＥＢＳ樹脂（スチレン−エチレン−ブタジエン−スチレン共重合体）、フッ素系樹脂、クロロプレン樹脂、ニトリル樹脂、ポリエステル系樹脂、エチレンプロピレンジエンゴム（ＥＰＤＭ）等が挙げられる。前記摩擦体を構成する弾性を有する合成樹脂は、高摩耗性の弾性材料（例えば、消しゴム等）からなるものよりも、摩擦時に消しカスが生じない低摩耗性の弾性材料からなることが好ましい。本発明で、前記摩擦体は、熱変色性筆記具の軸筒外面またはキャップ外面に設けられる。前記摩擦体の軸筒への取り付け手段、及び摩擦体のキャップへの取り付け手段は、例えば、圧入、嵌着、係着、螺着、接着、または２色成形による一体成形等の手段が挙げられる。
【発明の効果】
【００３０】
本発明の熱変色性ボールペンは、ボール受け座後方のボールペンチップ内で熱変色性インキの流動性を向上させ、筆跡の途切れや筆跡濃度の低下の発生を防止できる。
【発明を実施するための最良の形態】
【００３１】
＜第１の実施の形態＞
本発明の第１の実施の形態を図面に従って説明する。（図１乃至図３参照）
本実施の形態の熱変色性ボールペン１は、前端に回転可能にボール３１を抱持したボールペンチップ２と、前端に前記ボールペンチップ２を備え且つ後端が開口したインキ収容部６とからなる。前記インキ収容部６の内部には、熱変色性インキ８と、前記熱変色性インキ８の後端に接触配置され且つ前記熱変色性インキ８の消費に伴って前進する追従体９とが収容される。前記インキ収容部６は、ペン先ホルダー６１とインキ収容筒６２とにより構成される。前記ボールペンチップ２の後端部がペン先ホルダー６１の前端部に圧入固着され、前記ペン先ホルダー６１の後端部がインキ収容筒６２の前端部に圧入固着される。前記ボール３１の後方には、ボール３１を前方に付勢するスプリング７が配置される。
【００３２】
・ボールペンチップ
前記ボールペンは、一定の外径及び一定の内径を有する直円筒状の小径部３と、前記小径部３の後端に一体に連設され且つ後方に向かって次第に外径が大きくなるテーパ部５と、前記テーパ部５の後端に一体に連設される、一定の外径及び一定の内径を有する直円筒状の大径部４とからなる。前記ボールペンは、金属製（例えば、ＳＵＳ３０４、ＳＵＳ３２１、ＳＵＳ３１６等のオーステナイト系ステンレス鋼）からなる。
【００３３】
・小径部
前記小径部３の前端には回転可能にボール３１を抱持される。前記小径部３の前端には、カシメ変形により内向き前端縁部３２が形成される。前記小径部３の前端縁部３２の後方の側壁には、内方への押圧変形により複数（具体的には４個）の内方突起３３ａが形成され、ボール受け座３３を構成する。前記前端縁部３２とボール受け座３３との間で、ボール３１が回転可能に抱持される。
【００３４】
前記ボール受け座３３の内方突起３３ａの相互間にはインキ通路３３ｂが形成される。前記ボール受け座３３のインキ通路３３ｂの最小断面積は、０．０１ｍｍ2以上に設定される。（図２参照）
【００３５】
前記ボール３１の外径Ａは０．３ｍｍ〜０．７ｍｍの範囲のものが採用される。前記ボール３１の軸方向の移動可能量は、１０μｍ〜６０μｍの範囲に設定される。前記ボール３１の径方向の移動可能量は、１０μｍ〜６０μｍの範囲に設定される。前記小径部３のボール受け座３３後方の内径Ｂのボール外径Ａに対する比（Ｂ／Ａ）は、１．０１〜１．１５に設定される。前記小径部３のボール受け座３３から小径部３後端までの軸方向の長さＬは、３ｍｍ以下（好ましくは１ｍｍ〜３ｍｍ）に設定される。
【００３６】
・テーパ部
前記テーパ部５は、小径部３の後端と大径部４の前端とを滑らかに接続するものである。本実施の形態では、前記テーパ部５は、円錐面状に形成され、前記テーパ部５の傾斜面の軸線となす角度は５度〜２５度に設定される。本発明で、前記テーパ部５は、内径及び外径が後方に向かうに従い大径となる形状であればよく、円錐面状の他、曲面状（例えば凸曲面状、または凹曲面であってもよい。
【００３７】
・大径部
前記大径部４は、小径部３の内径よりも大きい内径及び小径部３の外径よりも大きい外径を有し、且つ、テーパ部５後端の内径と等しい内径及びテーパ部５後端の外径と等しい外径を有する。前記大径部４後端の内径Ｃ（大径部４の内径Ｃ）のボール外径Ａに対する比（Ｃ／Ａ）は、１．２〜３．０に設定される。前記大径部４の後端は、ペン先ホルダー６１の前端部内面に形成された環状の段部６１ａに当接される。大径部４後端の内径Ｃは、前記段部６１ａの内径Ｄと略同一に設定される。
【００３８】
・スプリング
前記スプリング７は、前記ボール受け座３３のインキ通路３３ｂを貫通し且つ前端がボール３１の後面に接触するロッド部７１と、前記ロッド部７１の後端に一体に連設されるコイル部７２とからなる。前記ロッド部７１は、ボールペンチップ２内（即ち小径部３内、テーパ部５内、及び大径部４内）に配置され、前記ロッド部７１の後端及びコイル部７２は、ボールペンチップ２後方のインキ収容部６内に配置される。前記コイル部７２の後端は、後方に向かって拡径する密着巻部７２ａが形成される。前記密着巻部７２ａの後端が、ペン先ホルダー６１内面に形成された係止部６１ｂに係止される。
【００３９】
・インキ収容部
前記インキ収容部６は、ペン先ホルダー６１及びインキ収容筒６２とからなる。前記インキ収容筒６２の両端は開口される。前記インキ収容筒６２の前端開口部にペン先ホルダー６１の後端部が圧入固着され、前記インキ収容筒６２の後端開口部に尾栓６３が圧入固着される。前記尾栓６３には、軸方向に通気孔が貫設される。
【００４０】
・熱変色性インキ
前記インキ収容部６内には、熱変色性インキ８と、前記熱変色性インキ８の後端に接触配置され且つ熱変色性インキ８の消費に伴って前進する高粘度流体からなる追従体９とが収容される。熱変色性インキ８は、平均粒子径０．５μｍ〜５μｍの熱変色性顔料が水性媒体中に分散され、粘度が４０ｍＰａ・s〜１６０ｍＰａ・s（ＥＭ型回転粘度計による回転数１００ｒｐｍ、２５℃での値）に設定される。前記熱変色性インキ８は、高温側変色点（完全消色温度）が３６℃〜９０℃に設定され、低温側変色点（完全発色温度）が−３０℃〜＋１０℃の範囲に設定される。尚、前記追従体９は、高粘度流体のみからなる構成の他、高粘度流体と固形物とを併用した構成や、弾性材料よりなる可動栓等が挙げられる。
【００４１】
＜第２の実施の形態＞
本発明の第２の実施の形態を図面に従って説明する。（図１乃至図４参照）
本実施の形態の熱変色性ボールペン１は、前記第１の実施の形態のボールペンレフィルを、軸筒１０内に収容し、前記軸筒１０の前端孔１０１より外部にペン先（ボールペンチップ２）を突出させたものである。
【００４２】
前記軸筒１０のペン先側には、キャップ１１を着脱自在に設けられる。前記キャップ１１内には、ペン先の前端をシールする弾性材料よりなるペン先シール部材１１１が収容配置される。
【００４３】
軸筒１０の後端部には、弾性材料よりなる摩擦体１０２が取り付けられる。前記摩擦体１０２により、熱変色性インキ８の筆跡を摩擦し、摩擦時の摩擦熱により熱変色性インキ８の筆跡を熱変色可能である。
【００４４】
前記軸筒１０は、前軸１０ａと後軸１０ｂとからなる。前記前軸１０ａの後端部と後軸１０ｂの後端部とが螺合により着脱自在に取り付けられる。前記前軸１０ａの前端に前端孔１０１が開口される。前記後軸１０ｂの後端に摩擦体１０２が圧入固着される。
【００４５】
＜第３の実施の形態＞
本発明の第３の実施の形態を図面に従って説明する。（図１、図２、図３、及び図５参照）
本実施の形態の熱変色性ボールペン１は、前記第１の実施の形態のボールペンレフィルを、軸筒１０内に軸方向に移動可能に収容し、前記軸筒１０の前端孔１０１よりペン先（ボールペンチップ２）を出没自在に構成したものである。軸筒１０の前端部の外周縁部には、弾性材料よりなる摩擦体１０２が固着される。
【００４６】
前記軸筒１０内には、出没機構が設けられ、外部操作によりペン先が出没される。本実施の形態では、前記出没機構は、軸筒１０の後端部を押圧する後端ノック式であるが、これ以外にも、回転式やサイドノック式等が挙げられる。
【００４７】
＜第４の実施の形態＞
本発明の第４の実施の形態を図面に従って説明する。（図１、図２、図６、及び図７参照）
本実施の形態の熱変色性ボールペン１は、複数本のボールペンレフィルを、軸筒１０内に軸方向に移動可能に収容し、前記軸筒１０の前端孔１０１よりペン先（ボールペンチップ２）を択一的に出没自在に構成したものである。軸筒１０の後端部には、弾性材料よりなる摩擦体１０２が固着される。
【００４８】
・ボールペンレフィル
ボールペンレフィルは、前端に回転可能にボール３１を抱持したボールペンチップ２と、前端に前記ボールペンチップ２を備え且つ後端が開口したインキ収容部６とからなる。前記インキ収容部６の内部には、熱変色性インキ８と、前記熱変色性インキ８の後端に接触配置され且つ前記熱変色性インキ８の消費に伴って前進する追従体９とが収容される。
【００４９】
前記インキ収容部６は、ペン先ホルダー６１とインキ収容筒６２とにより構成される。前記ボールペンチップ２の後端部がペン先ホルダー６１の前端部に圧入固着され、前記ペン先ホルダー６１の後端部がインキ収容筒６２の前端部に圧入固着される。前記ボール３１の後方には、ボール３１を前方に付勢するスプリング７が配置される。
【００５０】
前記インキ収容筒６２の各々の後端開口部には、操作体６４が圧入により取り付けられる。前記操作体６４はインキ収容筒６２の後端開口部を完全に塞がず、前記各々のインキ収容筒６２内と外気と通気可能にしている。
【００５１】
軸筒１０の側壁には、軸方向に延びる複数の窓孔１０３が形成され、前記各々の窓孔１０３より外部に前記操作体６４が突出される。前記一つの操作体６４を窓孔１０３に沿って前方にスライド操作することにより、その操作体６４に対応したボールペンレフィルのペン先が軸筒１０の前端孔１０１より外部に突出されるとともに、先に突出状態にあったボールペンレフィルのペン先が軸筒１０内に没入される。前記操作体６４は、それが取り付けられるインキ収容筒６２の内部の熱変色性インキ８の発色状態の色に着色される。
【００５２】
本実施の形態において、前記ボールペンチップ２、前記ペン先ホルダー６１、及び前記スプリング７、前記熱変色性インキ８、及び前記追従体９は、第１の実施の形態と同様であるため、説明を省略する。
【図面の簡単な説明】
【００５３】
【図１】本発明の実施の形態の要部拡大縦断面図である。
【図２】図１のＸ−Ｘ線に沿う拡大端面図である。
【図３】本発明の第１の実施の形態を示す縦断面図である。
【図４】本発明の第２の実施の形態を示す縦断面図である。
【図５】本発明の第３の実施の形態を示す縦断面図である。
【図６】本発明の第４の実施の形態を示す縦断面図である。
【図７】図６のボールペンレフィル及び操作体を示す縦断面図である。
【図８】熱変色性インキの変色挙動を示す説明図である。
【符号の説明】
【００５４】
１  熱変色性ボールペン
２  ボールペンチップ
３  小径部
３１  ボール
３２  前端縁部
３３  ボール受け座
３３ａ  内方突起
３３ｂ  インキ通路
４  大径部
５  テーパ部
６  インキ収容部
６１  ペン先ホルダー
６１ａ  段部
６１ｂ  係止部
６２  インキ収容筒
６３  尾栓
６４  操作体
７  スプリング
７１  ロッド部
７２  コイル部
７２ａ  密着巻部
８  熱変色性インキ
９  追従体
１０  軸筒
１０１  前端孔
１０２  摩擦体
１０３  窓孔
１０ａ  前軸
１０ｂ  後軸
１１  キャップ
１１１  ペン先シール部材
Ａ  ボール外径
Ｂ  小径部のボール受け座後方の内径
Ｃ  大径部後端の内径
Ｄ  段部の内径
Ｌ  ボール受け座から小径部後端までの軸方向の長さ
【図１】
2009090559.tif 000003
【図２】
2009090559.tif 000004
【図３】
2009090559.tif 000005
【図４】
2009090559.tif 000006
【図５】
2009090559.tif 000007
【図６】
2009090559.tif 000008
【図７】
2009090559.tif 000009
【図８】
2009090559.tif 000010